(57)【要約】      （修正有）【課題】同一表示スペースで２種類の情報を選択的に表示でき、立体感に富みアピール効果が高い商品情報表示具を提供すること。【解決手段】折り曲げ部を形成した連接部６で一端側が連接され他端側が自由端とされた前側片２と後側片３とを備えており、前記前側片２には前後方向に貫通する窓孔７が形成されていると共に、この窓孔７の周縁一部に折り曲げ部８を介して折り曲げ可能に連接された前記窓孔７を開閉するための蓋部９を備えており、この蓋部９の前面９ａと前記窓孔７の周縁一部の折り曲げ部８を挟んで蓋部９と反対側の前側片２の前面領域２ａ１に対象商品１４に関する第１の情報１１が表示され、しかも、前記対象商品に関する第２の情報１２が、蓋部９の後面９ｂと、前記後側片３を前側片２の後側に折り重ねたときに前記窓孔７の位置に対応する後側片３の前面領域３ａ１とに表示されている。【選択図】図１
2008209505.tif 000002
【特許請求の範囲】
【請求項１】
折り曲げ部を形成した連接部で一端側が連接され他端側が自由端とされた前側片と後側片とを備えており、前記前側片には前後方向に貫通する窓孔が形成されていると共に、この窓孔の周縁一部に折り曲げ部を介して折り曲げ可能に連接された前記窓孔を閉じるための蓋部を備えており、この蓋部の前面と前記窓孔の周縁一部の折り曲げ部を挟んで蓋部と反対側となる位置の前側片の前面領域とに対象商品に関する第１の情報が表示され、しかも、前記対象商品に関する第２の情報が、蓋部の後面と、前記後側片を前側片の後側に折り重ねたときに前記窓孔の位置に対応する後側片の前面領域とに表示されていることを特徴とする商品情報表示具。
【請求項２】
前記第１の情報及び第２の情報は、対象商品の用途・使用形態等に関する２種類の情報であり、それらの情報は、文字、図形、記号、キャッチフレーズ等の単独又は組み合わせからなるセールスポイント情報乃至アピール情報として表示されていると共に、前記２種類の情報の一方を第１の情報、他方を第２の情報として表示してあることを特徴とする請求項１に記載の商品情報表示具。
【請求項３】
前記前側片は、前記窓孔の周辺を含む前面に前記対象商品に関する前記第１の情報及び第２の情報以外の情報及び補足情報が表示されており、それらの情報は、文字、図形、記号、キャッチフレーズ等の単独又は組み合わせで表示されていることを特徴とする請求項１又は２に記載の商品情報表示具。
【請求項４】
前記前側片と後側片は、薄板状とされており、これら前後側片の連接部及び前後側片は対象商品の陳列展示用ハンガー等の陳列展示部材に跨って吊り下げ支持させるための係止部とされていることを特徴とする請求項１〜３の何れかに記載の商品情報表示具。
【請求項５】
前記前側片と後側片は、前記連接部と反対側の自由端に形成された係脱可能な係止突部と係止孔とを備えていることを特徴とする請求項１〜４の何れかに記載の商品情報表示具。
【請求項６】
前記前側片は、対象商品の輪郭形状に倣う輪郭形状に形成されていることを特徴とする請求項１〜５の何れかに記載の商品情報表示具。
【請求項７】
前記対象商品がブラジャーとされ、前記前側片と後側片との連接部が上辺とされ、前記前側片がブラジャーの左右のカップ部の輪郭形状に倣う輪郭形状に形成され、前記窓孔が前記左右のカップ部相当部の何れか一方又は双方の上半分の領域に上向き凸の半円形状に形成されており、前記蓋部が前記半円形状の弦相当部を折り曲げ部として折り曲げ可能に連接されていることを特徴とする請求項１〜６の何れかに記載の商品情報表示具。
【発明の詳細な説明】
【技術分野】
【０００１】
本発明は、店頭等の売り場や催し場に陳列展示され、また、販売されるブラジャー等の衣類、その他、各種の商品に取り付けて使用される商品情報表示具に関するものである。
【背景技術】
【０００２】
近時、過剰包装を自粛するため、並びに、購入後の包材の廃棄処分量を減少させてゴミの焼却量を減らし、大気汚染防止や地球温暖化軽減並びに省資源化を図るためなどのために、例えば、ブラジャーの売り場において、顧客や需用者が直接手で触れて感触を確かめたり、素材やデザイン、縫製の具合等の確認を容易にするために商品ブラジャーを非包装状態或いは包材省略乃至削減形態で個別にハンガーに吊り下げて陳列展示され、販売されるようになってきている。
このような包材省略乃至削減形態で陳列展示され、販売される商品は、顧客や需要者の購買意欲を高めるためのセールスポイント情報やアピール情報、その他、当該商品に関する情報を表示する手段や方法が問題となっている。
【０００３】
例えば、これらの商品に関する情報は、従来の包装袋等の包材に包装して販売される場合では、包材を利用して、例えば、袋に直接表示したり、台紙に表示したり、説明書として袋内に収納して提供されていたが、これらの包材が省略されると、商品に取り付けるか、ハンガーに取り付けるしかないのが実情である。
そこで考えられる手段としては、ラベルやシール、タッグ、カード等の表示具に前記情報を印刷表示し、これを商品又は商品を吊り下げているハンガーに貼り付けたり、吊り下げたりして取り付けることが考えられる。
【０００４】
しかし、これらの表示具であれば、表面だけを表示スペースとして利用しているに過ぎず、情報表示スペース（表示具）が過大になるという問題がある。表示具が過大になると、陳列展示されている商品が隠れてしまうことや顧客が商品の品質、感触等の確認をする場合の妨げとなるという問題がある。後者の問題を避けるため、表示具を小さくすると、情報表示スペースが不足することになる。
ところで、自動販売機用商品見本の表示シートとして、折り重ね可能とした２枚のシートの前面シートに透孔窓を設け、後面シートに該透孔窓を透過して見える図柄や文字を印刷表示しておくようにしたものが特許文献１として開示されている。
【特許文献１】特開２００７−２６２４８号公報
【発明の開示】
【発明が解決しようとする課題】
【０００５】
しかしながら、上記特許文献１は、前面シートの透孔窓には、蓋部がなく、２種類の情報を選択的に表示させるようにしたものではなく、特に、包材省略乃至削減形態で陳列展示され、販売される商品の表示具に適する形態を開示・示唆しているものでもない。
本発明は、包材省略乃至削減形態で陳列展示され、販売される商品の情報表示具の上記問題点に鑑みて提案されたものであって、その目的とするところは、同一表示スペースで２種類の情報を選択的に表示でき、立体感に富みアピール効果が高い商品情報表示具を提供することにある。
【課題を解決するための手段】
【０００６】
前記目的を達成するために本発明は、折り曲げ部を形成した連接部で一端側が連接され他端側が自由端とされた前側片と後側片とを備えており、前記前側片には前後方向に貫通する窓孔が形成されていると共に、この窓孔の周縁一部に折り曲げ部を介して折り曲げ可能に連接された前記窓孔を開閉するための蓋部を備えており、この蓋部の前面と前記窓孔の周縁一部の折り曲げ部を挟んで蓋部と反対側の前側片の前面領域に対象商品に関する第１の情報が表示され、しかも、前記対象商品に関する第２の情報が、蓋部の後面と、前記後側片を前側片の後側に折り重ねたときに前記窓孔の位置に対応する後側片の前面領域とに表示されていることを特徴としている。
【０００７】
上記構成によれば、蓋部で窓孔を閉じた状態とすることにより、第２の情報が蓋部で隠されて対象商品に関する第１の情報が表示され、蓋部を折り曲げて窓孔を開くことにより、第１の情報が蓋部で隠されて第２の情報が表示されることになり、同一表示スペース（窓孔と蓋部の開閉に相当するスペース）で２種類の情報を選択的に表示させることができる。このため、情報表示スペースを削減して表示具を小さくすることができる。また、蓋部を折り曲げて窓孔を開閉可能とすることにより、表示が立体的乃至動的な形態となり、平面的に羅列表示した場合に比較して、よく目立ち、珍しく、顧客や需用者の興味や注意力を強く喚起することができ、商品のアピール力を向上させることができる。
【０００８】
前記第１の情報及び第２の情報は、対象商品の用途・使用形態等に関する２種類の情報であり、それらの情報は、文字、図形、記号、キャッチフレーズ等の単独又は組み合わせからなるセールスポイント情報乃至アピール情報として表示されていると共に、前記２種類の情報の一方を第１の情報、他方を第２の情報として表示してあることを特徴としている。
上記構成によれば、対象商品のセールスポイント情報乃至アピール情報を２種類に分けて表示していることになり、単に同一面に並列羅列している場合とは異なり、立体的で２種類の情報の何れか一方だけを選択的に表示でき、顧客や需要者に強いイメージやインパクトを与えることができる。
【０００９】
前記前側片は、前記窓孔の周辺を含む前面に前記対象商品に関する前記第１の情報及び第２の情報以外の情報及び補足情報が表示されており、それらの情報は、文字、図形、記号、キャッチフレーズ等の単独又は組み合わせで表示されていることを特徴としている。
上記構成によれば、前記した利点に加えて、前側片の前面全体を情報表示スペースとして有効利用することができ、必要な情報を合理的に表示しつつ表示具全体の小型化が図れる。上記第１の情報及び第２の情報以外の情報及び補足情報としては、例えば、当該商品の取り扱い方法、注意事項、その他、当該商品の一般的な説明情報等が含まれる。
【００１０】
前記前側片と後側片は、薄板状とされており、これら前後側片の連接部及び前後側片は対象商品の陳列展示用ハンガー等の陳列展示部材に跨って吊り下げ支持させるための係止部とされていることを特徴としている。
上記構成によれば、表示具全体の嵩張りを抑制して商品の陳列展示部材への装着を容易にすることができる。
前記前側片と後側片は、前記連接部と反対側の自由端に形成された係脱可能な係止突部と係止孔とを備えていることを特徴としている。
【００１１】
上記構成によれば、表示具を商品の陳列展示部材や商品に係脱可能に係止させることができ、離脱や脱落を軽減することができる。
前記前側片は、対象商品の輪郭形状に倣う輪郭形状に形成されていることを特徴としている。
上記構成によれば、対象商品と表示具との関連性を一目で視認させることができ、意匠的趣味感を誘発して顧客等への興味や注意力の喚起を一層増進することができる。
前記対象商品がブラジャーとされ、前記前側片と後側片との連接部が上辺とされ、前記前側片がブラジャーの左右のカップ部の輪郭形状に倣う輪郭形状に形成され、前記窓孔が前記左右のカップ部相当部の何れか一方又は双方の上半分の領域に上向き凸の半円形状に形成されており、前記蓋部が前記半円形状の弦相当部を折り曲げ部として折り曲げ可能に連接されていることを特徴としている。
【００１２】
上記構成によれば、前記の利点に加えて、包材省略乃至削減形態で陳列展示され、販売されるブラジャーの商品情報表示具として好適なものを提供することが出来る。
【発明の効果】
【００１３】
本発明によれば、同一表示スペースで２種類の情報を選択的に表示でき、立体感に富みアピール効果が高い商品情報表示具を提供することができる。
【発明を実施するための最良の形態】
【００１４】
以下、本発明に係る商品情報表示具の実施の形態を図面の記載に基づいて説明する。
本発明に係る商品情報表示具１は、図１（Ａ）〜（Ｄ）に示すように、前側片２と後側片３とを備えている。これらは、図２及び図３にも示すように、折り曲げ部４、５を形成した連接部６で一端側（上端側）が連接され他端側（下端側）が自由端とされている。
前記前側片２には前後方向に貫通する窓孔７が形成されていると共に、この窓孔７の周縁一部に折り曲げ部８を介して折り曲げ可能に連接された前記窓孔７を閉じるための蓋部９を備えている。
【００１５】
上記蓋部９の前面９ａと前記窓孔７の周縁一部の折り曲げ部８を挟んで蓋部９と反対側の前側片２の前面領域２ａ１（この領域２ａ１は、蓋部９を開いたときに蓋部９で隠れる領域である）に対象商品に関する第１の情報１１が表示され、しかも、前記対象商品に関する第２の情報１２が、蓋部９の後面９ｂと、前記後側片３を前側片２の後側に折り重ねたときに前記窓孔７の位置に対応する後側片３の前面領域３ａ１とに表示されている。
上記前側片２は、窓孔７の形成領域に蓋部９の開閉で見え隠れする前面領域２ａ１を折り曲げ部８を挟んで蓋部９と反対側に形成確保している。
【００１６】
上記窓孔７と蓋部９とは、前側片２の所定位置に窓孔７の輪郭形状に沿って切り目又は細いスリット１０を設けることによって形成されている。
前記第１の情報１１及び第２の情報１２は、対象商品の用途・使用形態等に関する２種類の情報であり、それらの情報は、文字、図形、記号、キャッチフレーズ等の単独又は組み合わせからなるセールスポイント情報乃至アピール情報として表示されていると共に、前記２種類の情報１１、１２の一方を第１の情報１１、他方を第２の情報１２として表示してある。
【００１７】
前記前側片２は、前記窓孔７の周辺を含む前面２ａ２に前記対象商品に関する前記第１・第２情報以外の情報及び補足情報１３が表示されており、それらの情報１３は、文字、図形、記号、キャッチフレーズ等の単独又は組み合わせで表示されている。
前記前側片２と後側片３は、板紙製、樹脂シート製等の薄板状とされており、これら前後側片２、３の連接部６及び前後側片２、３は、図４に示すように、対象商品１４の陳列展示用ハンガー等の陳列展示部材１５に跨って吊り下げ支持させるための係止部１６とされている。この係止部１６は、図１（Ａ）（Ｂ）、図２、図３に示すように、連接部６を係止用肩面として、ハンガーフック部１５ａに対応する位置に切欠部６ａが設けられている。
【００１８】
前記前側片２と後側片３は、図２、図３に示すように、前記連接部６と反対側の自由端（下端）に形成された係脱可能な係止突部１７と係止孔１８とを備えている。これによって、図４に示すように、本発明の商品情報表示具１を対象商品１４の陳列展示用ハンガー等の陳列展示部材１５に跨って吊り下げ支持させた状態で、係止突部１７を係止孔１８に挿通することにより、脱落しないように保持させておくことができる。なお、係止突部１７は、先端両側に抜け止め突起１７ａが形成されており、この抜け止め突起１７ａによって係止孔１８に挿入した後は抜け止め保持される。
【００１９】
前記前側片２は、対象商品１３の輪郭形状に倣う輪郭形状に形成されている。後側片３の輪郭形状については、前側片２と同様としたり、他の形状としてもよい。
前記対象商品１４は、ブラジャーとした場合を例示しており、この場合、前記前側片２と後側片３との連接部６が上辺とされ、前記前側片２がブラジャーの左右のカップ部の輪郭形状に倣う輪郭形状に形成され、前記窓孔７が前記左右のカップ部相当部の何れか一方又は双方の上半分の領域に上向き凸の半円形状に形成されており、前記蓋部９が前記半円形状の弦相当部を折り曲げ部８として折り曲げ可能に連接されている。
【００２０】
上記ブラジャー１４の場合、前側片２の左右のカップ相当部と連接部６との間に下辺が逆三角形状で両側肩紐相当部を上下方向に平行な直線からなる両側辺とし、連接部６の前縁に沿って左右方向に平行な直線からなる上辺で囲まれた略五角形の窓孔１９が形成されており、この窓孔１９の位置に対応する後側片３の前面領域３ａ２にも第１・第２情報以外の情報及び補足情報１２を表示することが可能である。
また、上記ブラジャー１４がパッドを２通りの形態で使用できることをセールスポイントにしている場合を例示すると、
第１・第２の使用形態を表す用語として：「style１」と「style２」が、また、
第１・第２の使用形態での当該商品の使用方法を表す説明用語として：「パッドを広げ    て」と「パッドを二つ折りで」が、さらに、
第１・第２の使用形態での当該商品の機能乃至効能を表す用語として：「グラマラスな谷間に」と「ナチュラルな谷間に」とが、
前記第１の情報１０及び第２の情報１１として、適切に振り分けて使用されている。例えば、蓋部９を閉じた図１（Ａ）の状態で、蓋部９の前面９ａに「style２」と「パッドを広げて」とを前者を上、後者を下にして横書きで第１の情報１１として表示され、かつ、その下側の前側片２の前面領域２ａ１に「グラマラスな谷間に」がその場合の機能乃至効能として太字で表示され、また、窓孔７の位置に対応する後側片３の前面領域３ａ１に「style１」と「パッドを二つ折りで」とを前者を上、後者を下にして横書きで第２の情報１２として表示され、かつ、蓋部９の後面９ｂに「ナチュラルな谷間に」がその場合の機能乃至効能として太字で表示される。この場合、蓋部９の後面９ｂに表示される「ナチュラルな谷間に」の文字は、蓋部９を前側下方へ折り曲げたときに正立姿勢となるように、蓋部９が折り曲げられていない状態の後面９ｂに対しては、図３に示すように、倒立姿勢で表示されている。
【００２１】
また、第１・第２情報以外の情報乃至補足情報１３としては、日本語表記で「２スタイルブラ」、英文字表記で「２ｓｔｙｌｅーＢＲＡ」と、また、当該商品の機能乃至効能説明として「使い分けパッドで２つのシルエット！！」の文字が前側片２の前面の左半分領域２ａ２に表示されている。
さらに、前側片２の右半分領域と左半分領域とは、無地或いは適当な地色の色彩が左右同一として、或いは、異なる色彩（例えば、左側をピンク色、右側の蓋部９の前後面９ａ、９ｂとその下の領域２ａ１とを黄色、その外側の円形窓枠領域を黒色）として施こされ、また、前記情報の表示部の周辺や表示部間等に星形やハート形等の装飾模様や図形、記号などが施こされている。
【００２２】
また、後側片３の前面領域３ａ１には、黒色の色彩が地色として施され、この色は、蓋部９を下側に折り曲げて窓孔７を開いたとき、窓枠周辺の色（黒色）と同一色彩となって違和感がないようにしている。そして、この領域３ａ１に表示される第２の情報１２は、図に示しているように、展開状態では文字などを倒立状態で表示されている。
さらに、前側片２の中央上部の窓孔１９の位置に対応する後側片３の前面領域３ａ２には、前側片２の前面とは異なる色彩（例えば、ベージュ色その他）が着色されている。そして、後側片３の後面３ｂには、図２に示すように、商標名、ブランド名、製造元、販売元、苦情等の顧客相談室、連絡先、商品番号等の当該商品の他の関連情報２０が表示されている。なお、前側片２の後面２ｂは、無地面とされている。
【００２３】
本発明の実施形態は以上からなり、次に、その使用形態と機能を説明する。
本発明の商品情報表示具１は、図４に示すように、ブラジャー１４を吊り下げているハンガーなどの陳列展示用部材１５に連接部６を係止部１６としてハンガーフック部１５ａを窓孔１９から通して跨がらせ、切欠部６ａをハンガーフック部１５ａに係合させて係止させ、下端の係止突部１７を係止孔１８に挿通して係止させる。
この状態で、蓋部９を図１（Ａ）又は図１（Ｂ）の何れかの状態として売り場などに陳列展示する。これにより、顧客乃至需用者は、希望する商品を手にとって品質、感触、縫製具合の善し悪し等を確認し、その際、蓋部９が開閉することに気付いて、例えば、知的興味を喚起され、その使用方法や効能を容易に理解し、十分に納得するに至るというような効能が期待できる。
【００２４】
本発明の商品情報表示具は、以上の実施形態からなるが、本発明は、これらの実施形態のブラジャーにのみ制約されるものではなく、シャツ、パンツその他の衣類、各種の商品に適用することが出来る。また、窓孔７に対する蓋部９の開閉方向は、上下だけでなく、用途や目的などによって、左右方向や斜め方向、上捲り方向であってもよい。
【図面の簡単な説明】
【００２５】
【図１】（Ａ）は本発明に係る商品情報表示具の第１の使用形態を示す概略斜視図、（Ｂ）はそのＢ−Ｂ断面図、（Ｃ）は第２の使用形態を示す概略斜視図、（Ｄ）はそのＤ−Ｄ断面図である。
【図２】図１の展開状態の正面（前面）図である。
【図３】図１の展開状態の背面（後面）図である。
【図４】対象商品の陳列展示用部材に装着した状態の正面図である。
【符号の説明】
【００２６】
１    商品情報表示具
２    前側片
３    後側片
４    折り曲げ部
５    折り曲げ部
６    連接部
７    窓孔
８    折り曲げ部
９    蓋部
１０    切り目又は細いスリット
１１    第１の情報
１２    第２の情報
１３    第１・第２の情報以外の情報乃至補足情報
１４    対象商品（ブラジャー）
１５    陳列展示用部材（ハンガー）
１６    係止部
１７    係止突部
１８    係止孔
１９    窓孔
２０    他の関連情報
【図１】
2008209505.tif 000003
【図２】
2008209505.tif 000004
【図３】
2008209505.tif 000005
【図４】
2008209505.tif 000006